(57)【要約】【課題】  補充・回収作業の増加を抑えながら両替機に投入可能な紙幣の量を増加させると共に、両替機がこじ開けられた場合の被害を抑えることが可能な両替機、紙幣管理システム、及び紙幣管理方法を提供する。【解決手段】  両替機、または遊技媒体貸出機に紙幣が投入されると投入された紙幣を紙幣搬送装置で金庫に搬送して収納すると共に、紙幣搬送装置に搬出した紙幣の金額を示す情報を紙幣の管理を行う紙幣管理装置に送信する。また、金庫は、紙幣搬送装置で搬送された紙幣を収納すると共に、搬入された紙幣の金額に関する情報を作成し、紙幣管理装置に送信する。そして、紙幣管理装置では、両替機、遊技媒体貸出機、金庫から送信された情報を記録すると共に、これらの情報を比較して紙幣の管理を行う。  【選択図】  図１
2005192752.tif 000002
【特許請求の範囲】
【請求項１】
遊技店の遊技機島に設置される両替機において、
両替のために投入された紙幣を、前記遊技島に列設される複数の遊技媒体貸出処理機に投入された紙幣を収納する紙幣収納手段に該紙幣を搬送する紙幣搬送手段へ搬出する紙幣搬出手段を具備する
ことを特徴とする両替機。
【請求項２】
両替のために投入される紙幣を、払出用の紙幣が金種毎に収納される払出用紙幣収納手段に送り込む紙幣送り込み手段と、
前記払出用紙幣収納手段に収納されている紙幣の量が基準値以上であるか否かを検出する検出手段と
をさらに具備し、
前記紙幣の量が基準値未満である金種の紙幣が投入されると、前記紙幣送り込み手段によって投入紙幣を払出用紙幣収納手段へ送り込み、上記以外の金種が投入されると、前記紙幣搬出手段によって投入紙幣を前記紙幣搬送手段へ搬送する
ことを特徴とする請求項１記載の両替機。
【請求項３】
前記紙幣搬出手段によって搬出される紙幣の金額を示す搬出金額情報を作成する手段と、
前記遊技媒体貸出処理機に投入された紙幣、及び前記紙幣収納手段に収納された紙幣の管理を行う紙幣管理手段に前記搬出金額情報を送信する送信手段と
をさらに具備する
ことを特徴とする請求項１又は２記載の両替機。
【請求項４】
遊技店における紙幣管理システムにおいて、
遊技媒体の貸し出し処理を行う遊技媒体貸出処理手段と、
両替を行う両替手段と、
前記遊技媒体貸出処理手段、及び前記両替手段に投入された紙幣を収納する収納手段と、
前記遊技媒体貸出処理手段、及び前記両替手段に投入された紙幣を前記収納手段に搬送する紙幣搬送手段と、
前記遊技媒体貸出処理手段、前記両替手段、及び前記収納手段における紙幣の管理を紙幣管理手段と
を具備することを特徴とする紙幣管理システム。
【請求項５】
前記遊技媒体貸出処理手段は、
前記紙幣搬送手段に搬出する紙幣の額を示す第１の金額情報を作成する金額情報作成手段と、
前記第１の金額情報を前記紙幣管理手段に送信する金額情報送信手段と
をさらに具備し、
前記両替手段は、
前記紙幣搬送手段に搬出する紙幣の額を示す第２の金額情報を作成する金額情報作成手段と、
前記第２の金額情報を前記紙幣管理手段に送信する金額情報送信手段と
をさらに具備し、
前記収納手段は、
前記紙幣搬送手段から搬入された紙幣の額を示す第３の金額情報を作成する金額情報作成手段と、
前記第３の金額情報を前記紙幣管理手段に送信する金額情報送信手段と
をさらに具備し、
前記紙幣管理手段は、
同一の遊技島に設置される前記遊技媒体貸出処理手段から送信される第１の金額情報と前記両替手段から送信される第２の金額情報を合計した合計金額情報と、前記紙幣収納手段から送信される第３の金額情報とを比較して紙幣の管理を行う
ことを特徴とする請求項４記載の紙幣管理システム。
【請求項６】
前記両替手段は、
両替のために投入される前記紙幣を、払出用の紙幣が金種毎に収納される払出用紙幣収納手段に送り込む紙幣送り込み手段と、
前記払出用紙幣収納手段に収納されている紙幣の量が基準値以上であるか否かを検出する検出手段と
をさらに具備し、
前記紙幣の量が基準値未満である金種の紙幣が投入されると、前記紙幣送り込み手段によって投入紙幣を払出用紙幣収納手段に送り込み、上記以外の金種が投入されると、前記紙幣搬出手段によって投入紙幣を前記払出用紙幣収納手段へ搬出する
ことを特徴とする請求項４又は５記載の紙幣管理システム。
【請求項７】
遊技店における紙幣管理方法において、
遊技媒体の貸し出し処理を行う遊技媒体貸出処理手段と両替手段とに投入された紙幣を紙幣搬送手段で搬送して紙幣収納手段に収納すると共に、
前記遊技媒体貸出処理手段は、
前記紙幣搬送手段に搬出する紙幣の額に関する情報を作成し、該情報を紙幣の管理を行う紙幣管理手段に送信し、
前記両替手段は、
前記紙幣搬送手段に搬出する紙幣の額に関する情報を作成し、該情報を紙幣の管理を行う紙幣管理手段に送信し、
前記紙幣収納手段は、
前記紙幣搬送手段から搬入された紙幣の額に関する情報を作成し、該情報を前記紙幣管理手段に送信し、  
前記紙幣管理手段は、
前記遊技媒体貸出処理手段と前記両替手段と前記紙幣収納手段とから送信される情報に基づいて、同一の前記紙幣搬送手段に接続される前記遊技媒体貸出処理手段と前記両替手段とから前記紙幣搬送手段へ搬出された紙幣の額の合計と、前記紙幣搬送手段から前記紙幣収納手段に搬入された紙幣の額とを比較して紙幣の管理を行う
ことを特徴とする紙幣管理方法。
【発明の詳細な説明】
【技術分野】
【０００１】
本発明は、両替機、紙幣管理システム、及び紙幣管理方法に関し、特に、高額紙幣を両替機外に収納することが可能な両替機、紙幣管理システム、及び紙幣管理方法に関する。
【背景技術】
【０００２】
パチンコ店などの遊技店では、遊技台毎に玉やメダルなどの遊技媒体を貸し出す遊技媒体貸出機（台間玉貸機、台間メダル貸機、台間カード処理機など）が設けられており、五百円硬貨や千円紙幣など、特定の貨幣を受付けて遊技媒体の貸し出しを行っていた。
【０００３】
なお、台間カード処理機については、カードのみを受け付けるタイプ以外に、カードと貨幣の両方を受け付けて遊技媒体の貸し出し処理を行うタイプが増えつつある。
【０００４】
このため、二千円紙幣や五千円紙幣、一万円紙幣といった高額紙幣を利用することはできず、遊技客は、高額紙幣を両替機で千円紙幣や五百円硬貨に両替した後、遊技媒体貸出機から遊技媒体の貸し出しを受けていた。
【０００５】
ところで、この両替機は、遊技台と遊技台との間（台間）や島端などに設けられており、紙幣が投入されると、投入された紙幣を両替機内の金庫に収納すると共に、予め収納していた低額紙幣や硬貨を払い出して両替を行っていた（例えば、特許文献１参照）。
【０００６】
一方、遊技媒体貸出機では、紙幣が投入されると、遊技媒体の貸し出しを行うと共に、遊技台などの裏に設けらている紙幣搬送装置を用いて、紙幣を複数の遊技台毎に区切られたいわゆる島の端にある島端金庫に搬送・収納していた。
【０００７】
また、遊技媒体貸出機では、搬送装置に紙幣を搬出する際、紙幣の管理を行うホールコンピュータなどの紙幣管理装置に、搬出する紙幣の金額に関する情報を送信し、島端金庫では、紙幣を収納する際に、収納する紙幣の金額に関する情報を紙幣管理装置に送信することにより、紙幣管理装置で遊技媒体貸出機に投入された金額、及び島端金庫に収納された金額の集計・比較を行い、金額の誤差（金庫サンド誤差)を算出して紙幣の管理を行っていた（例えば、特許文献２参照）。
【特許文献１】特開２００１−１１８１２０号公報
【特許文献２】特開平１０−８５４３５号公報
【発明の開示】
【発明が解決しようとする課題】
【０００８】
しかし、両替機は、台間に設置される場合、設置スペースに限りがあり、投入可能な紙幣の量を増やすと払い出し用の千円紙幣を収納するスペースを減らさねばならず、従業員の補充作業の回数が増加する可能性があった。
【０００９】
特に、投入された紙幣を金種ごとに収納する場合は、払い出し用の千円紙幣を収納するスペースをさらに抑えなければならず、補充作業の回数はさらに増加する可能性があった。
【００１０】
また、両替機をこじ開けて両替機本体内に収められている現金を盗むといった犯罪が発生しており、両替機に多量の高額紙幣が収納されたままになっている場合は、遊技店の被害額が大きくなる可能性があった。
【００１１】
そして、仮に、両替機に投入された紙幣を搬送装置によって島端金庫へ搬送したとすると、島端金庫に入金される金額は、遊技媒体貸出機に投入された金額と両替機に投入された金額の合計となるため、金庫サンド誤差が必ず発生し、紙幣の管理を正確に行うことができなくなる。
【００１２】
金庫サンド誤差と両替機に投入された金額とを比較することにより、本来の金庫サンド誤差を手計算で確認することは可能であるが、毎日島毎に手計算で比較作業を行わなければならず、手間であると共に、計算間違い等が発生する可能性もあった。
【００１３】
そこで、本発明では、補充・回収作業の増加を抑えながら両替機に投入可能な紙幣の量を増加させると共に、両替機がこじ開けられた場合の被害を抑えることが可能な両替機、紙幣管理システム、及び紙幣管理方法を提供することを目的とする。
【課題を解決するための手段】
【００１４】
本発明に係る両替機は、遊技店の遊技機島に設置される両替機において、両替のために投入された紙幣を、遊技島に列設される複数の遊技媒体貸出処理機に投入された紙幣を収納する紙幣収納手段に該紙幣を搬送する紙幣搬送手段へ搬出する紙幣搬出手段を具備する。
【００１５】
また、両替のために投入される紙幣を、払出用の紙幣が金種毎に収納される払出用紙幣収納手段に送り込む紙幣送り込み手段と、払出用紙幣収納手段に収納されている紙幣の量が基準値以上であるか否かを検出する検出手段とをさらに具備し、紙幣の量が基準値未満である金種の紙幣が投入されると、紙幣送り込み手段によって投入紙幣を払出用紙幣収納手段へ送り込み、上記以外の金種が投入されると、紙幣搬出手段によって投入紙幣を紙幣搬送手段へ搬送する。
【００１６】
そして、紙幣搬出手段によって搬出される紙幣の金額を示す搬出金額情報を作成する手段と、遊技媒体貸出処理機に投入された紙幣、及び紙幣収納手段に収納された紙幣の管理を行う紙幣管理手段に搬出金額情報を送信する送信手段とをさらに具備する。
【００１７】
次に、本発明に係る紙幣管理システムは、遊技店における紙幣管理システムにおいて、遊技媒体の貸し出し処理を行う遊技媒体貸出処理手段と、両替を行う両替手段と、遊技媒体貸出処理手段、及び両替手段に投入された紙幣を収納する収納手段と、遊技媒体貸出処理手段、及び両替手段に投入された紙幣を収納手段に搬送する紙幣搬送手段と、遊技媒体貸出処理手段、両替手段、及び収納手段における紙幣の管理を紙幣管理手段とを具備する。
【００１８】
また、遊技媒体貸出処理手段は、紙幣搬送手段に搬出する紙幣の額を示す第１の金額情報を作成する金額情報作成手段と、第１の金額情報を紙幣管理手段に送信する金額情報送信手段とをさらに具備し、両替手段は、紙幣搬送手段に搬出する紙幣の額を示す第２の金額情報を作成する金額情報作成手段と、第２の金額情報を紙幣管理手段に送信する金額情報送信手段とをさらに具備し、収納手段は、紙幣搬送手段から搬入された紙幣の額を示す第３の金額情報を作成する金額情報作成手段と、第３の金額情報を紙幣管理手段に送信する金額情報送信手段とをさらに具備し、紙幣管理手段は、同一の遊技島に設置される遊技媒体貸出処理手段から送信される第１の金額情報と両替手段から送信される第２の金額情報を合計した合計金額情報と、紙幣収納手段から送信される第３の金額情報とを比較して紙幣の管理を行う。
【００１９】
そして、両替手段は、両替のために投入される紙幣を、払出用の紙幣が金種毎に収納される払出用紙幣収納手段に送り込む紙幣送り込み手段と、払出用紙幣収納手段に収納されている紙幣の量が基準値以上であるか否かを検出する検出手段とをさらに具備し、紙幣の量が基準値未満である金種の紙幣が投入されると、紙幣送り込み手段によって投入紙幣を払出用紙幣収納手段に送り込み、上記以外の金種が投入されると、紙幣搬出手段によって投入紙幣を払出用紙幣収納手段へ搬出する。
【００２０】
本発明に係る紙幣管理方法は、遊技店における紙幣管理方法において、遊技媒体の貸し出し処理を行う遊技媒体貸出処理手段と両替手段とに投入された紙幣を紙幣搬送手段で搬送して紙幣収納手段に収納すると共に、遊技媒体貸出処理手段は、紙幣搬送手段に搬出する紙幣の額に関する情報を作成し、該情報を紙幣の管理を行う紙幣管理手段に送信し、両替手段は、紙幣搬送手段に搬出する紙幣の額に関する情報を作成し、該情報を紙幣の管理を行う紙幣管理手段に送信し、紙幣収納手段は、紙幣搬送手段から搬入された紙幣の額に関する情報を作成し、該情報を紙幣管理手段に送信し、紙幣管理手段は、遊技媒体貸出処理手段と両替手段と紙幣収納手段とから送信される情報に基づいて、同一の紙幣搬送手段に接続される遊技媒体貸出処理手段と両替手段とから紙幣搬送手段へ搬出された紙幣の額の合計と、紙幣搬送手段から紙幣収納手段に搬入された紙幣の額とを比較して紙幣の管理を行う。
【発明の効果】
【００２１】
本発明では、遊技店の遊技機島に設置される両替機において、払い出し用の紙幣を収納するスペースの減少を抑えつつ、投入可能な紙幣の量を増加させることができる。
【００２２】
また、両替機、及び遊技媒体貸出機に投入された紙幣の管理を島端金庫で正確に行うことができる。
【発明を実施するための最良の形態】
【００２３】
以下、本発明に係る両替機、紙幣管理システム、及び紙幣管理方法を実施するための最良の形態について、添付図面を参照して詳細に説明する。
【００２４】
図１は、本発明に係る紙幣管理システムの構成の一例を示す概略概念図であり、図２は、本実施の形態における紙幣管理システムの構成を示す機能ブロック図である。
【００２５】
図１に示すように、本発明に係る紙幣管理システムには、遊技媒体である玉の貸し出しを行う台間玉貸機１０と、遊技台の間や島端に設置され、紙幣の両替を行う両替機２０と、島に設置されている台間玉貸機１０及び両替機２０に投入された紙幣を収納する島端金庫３０と、紙幣の管理を行うホールコンピュータなどの紙幣管理装置４０とが設けられ、台間玉貸機１０、両替機２０、及び島端金庫３０は、ネットワーク中継機(ＨＵＢ)（図示しない）を介して紙幣管理装置４０と接続している。
【００２６】
また、紙幣５０を搬送する紙幣搬送装置６０が設けられ、台間玉貸機１０及び両替機２０に投入された紙幣５０は、紙幣搬送装置６０を介して、島端金庫３０に搬送されるように構成されている。
【００２７】
ここで、図２に示すように、台間玉貸機１０には、台間玉貸機の制御を行なう制御部１１、千円紙幣の投入を受け付ける紙幣投入部１２、投入された紙幣の金種や真贋などの識別を行う紙幣識別部１３、貸し出しを行う玉を投出する玉投出部１４、紙幣搬送装置に紙幣を搬出する紙幣搬出部１５、搬出した紙幣の金額に関する情報を作成する搬出金額情報作成部１６、紙幣管理装置４０と接続するための通信インターフェイス（Ｉ／Ｆ）１７が設けられている。
【００２８】
そして、台間玉貸機では、千円紙幣が投入されると、玉投出部から玉を投出して玉の貸し出しを行うと共に、投入された紙幣を紙幣排出部から紙幣搬送装置に搬出し、搬出金額情報作成部で作成した金額情報を通信Ｉ／Ｆから紙幣管理装置に送信する。
【００２９】
また、両替機２０には、両替機の制御を行なう制御部２１、紙幣の投入を受け付ける紙幣投入部２２、投入された紙幣の金種や真贋などの識別を行う紙幣識別部２３、両替のために貨幣の払い出しを行う貨幣払出部２４、両替のために払い出す貨幣を収納する払出用貨幣収納部２５、払出用貨幣収納部２５に収納されている貨幣の管理を行う払出用貨幣管理部２６、紙幣搬送装置に紙幣を搬出する紙幣搬出部２７、搬出した紙幣の金額に関する情報を作成する搬出金額情報作成部２８、紙幣管理装置４０と接続するための通信Ｉ／Ｆ２９が設けられている。
【００３０】
そして、両替機では、紙幣投入部から紙幣が投入されると、貨幣払出部から貨幣を払い出して両替を行うと共に、投入された紙幣を紙幣搬送部から紙幣搬送装置に搬出し、搬出金額情報作成部で作成した金額情報を通信Ｉ／Ｆから紙幣管理装置に送信する。
【００３１】
島端金庫３０には、島端金庫の制御を行なう制御部３１、紙幣搬送装置で搬送されてきた紙幣を搬入する紙幣搬入部３２、搬入された紙幣の金種などの識別を行う紙幣識別部３３、搬入された紙幣を収納する搬入紙幣収納部３４、紙幣搬送装置から搬入された紙幣の金額に関する情報を作成する搬入金額情報作成部３５、紙幣管理装置４０と接続するための通信Ｉ／Ｆ３６が設けられている。
【００３２】
そして、島端金庫では、紙幣搬入装置から紙幣が搬入されると、搬入紙幣収納部に搬入された紙幣を収納すると共に、搬入金額情報作成部で作成した金額情報を通信Ｉ／Ｆから紙幣管理装置に送信する。
【００３３】
紙幣管理装置４０には、紙幣管理装置における各種処理を行う演算処理部４１、演算処理部４１で各種処理を行うためのプログラムを記憶するプログラム記憶部４２、紙幣の管理に必要な情報を記録するデータベース４３、台間玉貸機１０、両替機２０、島端金庫３０と接続するための通信Ｉ／Ｆ４４、ディスプレイなどの表示部４５、キーボードやマウスなどの操作部４６が設けられている。
【００３４】
そして、紙幣管理装置４０では、台間玉貸機及び両替機から送信される搬出金額情報、及び島端金庫から送信される搬出金額情報を受信して、データベースに記録すると共に、金庫に搬入されるべき紙幣の額と金庫に収納されている紙幣の額との比較を島端金庫単位で行い、紙幣の管理を行う。
【００３５】
なお、図１で示した紙幣搬送装置は、一般的に公知なベルト式や特開２００２−２０３２６６に記載されている搬送ユニット式など、両替機や台間玉貸機に投入された紙幣を島端金庫に搬送することが可能な搬送装置であればよい。
【００３６】
さて、上記構成において、本発明に係る紙幣管理システムでは、台間玉貸機又は両替機に紙幣が投入されると、投入された紙幣を搬送装置に搬出して島端金庫に搬送すると共に、搬出する紙幣の金額に関する搬出金額情報を台間玉貸機又は両替機から紙幣管理装置に送信する。
【００３７】
また、島端金庫は、搬送装置を介して紙幣が搬入されると、当該紙幣の金種を確認した上で収納すると共に、搬入された紙幣の金額に関する搬入金額情報を紙幣管理装置に送信する。
【００３８】
そして、紙幣管理装置は、遊技媒体貸出処理機や両替機から送信されてくる搬出金額情報、及び島端金庫から送信されてくる搬入金額情報をデータベースに記録すると共に、搬出金額情報と搬入金額情報とを島端金庫単位で比較して紙幣の管理を行う。
【００３９】
次に、本実施の形態における紙幣管理方法を添付図面を参照して詳細に説明する。
【００４０】
図３は、台間玉貸機における処理の流れの一例を示すフローチャートである。
【００４１】
まず、紙幣が投入される（ステップ１００）と、投入された紙幣の識別を行い（ステップ１０１）、紙幣が１０００円紙幣ではないと判断する（ステップ１０２でＮＯ）と、投入された紙幣を紙幣が投入された投入口から排出して（ステップ１０３）、処理を終了し、紙幣が１０００円紙幣であると判断する（ステップ１０２でＹＥＳ）と、玉投出部から玉を投出して玉を貸し出す玉貸処理を行う（ステップ１０４）。
【００４２】
そして、紙幣搬送装置に１０００円搬出したこと示す搬出金額情報を作成し（ステップ１０５）、紙幣搬出装置に紙幣を搬出する（ステップ１０６）と共に、搬出金額情報を紙幣管理装置に送信する（ステップ１０７）。
【００４３】
図４は、両替機における処理の流れの一例を示すフローチャートである。
【００４４】
まず、紙幣が投入される（ステップ２００）と、投入された紙幣の識別を行い（ステップ２０１）、紙幣が１０００円紙幣ではないと判断する（ステップ２０２でＮＯ）と、紙幣の額に応じて１０００円紙幣を払い出し（ステップ２０３）、紙幣搬送装置に搬出するした紙幣の金額を示す搬出金額情報を紙幣の金種に応じて作成し（ステップ２０４）、紙幣搬出装置に紙幣を搬出する（ステップ２０５）と共に、搬出金額情報を紙幣管理装置に送信する（ステップ２０６）。
【００４５】
また、ステップ２０２において、紙幣が１０００円紙幣であると判断する（ステップ２０２でＹＥＳ）と、硬貨の払い出しを行い（ステップ２０７）、払い出し用の千円紙幣が不足しているか否かの判断を行い（ステップ２０８）、所定の枚数を満たしている（不足していない）と判断する（ステップ２０８でＮＯ）と、紙幣搬送装置に１０００円搬出したこと示す搬出金額情報を作成し（ステップ２０４）、紙幣搬出装置に紙幣を搬出する（ステップ２０５）と共に、搬出金額情報を紙幣管理装置に送信する（ステップ２０６）。  一方、ステップ２０８で、所定の枚数を満たしていない（不足している）と判断する（ステップ２０８でＹＥＳ）と、払い出し用の紙幣を収納する両替機内部の収納部に紙幣を収納する。
【００４６】
なお、本実施の形態では、千円紙幣のみを払出用にリサイクルしているが、二千円紙幣や五千円紙幣を払い出して両替を行っている場合は、千円紙幣と同様にこれらの紙幣を払出用にリサイクルしてもよく、また、投入された紙幣を払出用にリサイクルすることなく、すべて島端金庫に搬送してもよい。
【００４７】
さらに、紙幣を払出用にリサイクルする場合には、その旨を示す情報を付加した搬出金額情報を作成し、紙幣管理装置に送信してもよい。
【００４８】
図５は、島端金庫における処理の流れの一例を示すフローチャートである。
【００４９】
まず、紙幣搬送装置から紙幣が搬入される（ステップ３００）と、搬入された紙幣の金種を識別して（ステップ３０１）、搬入された紙幣の金額を示す搬出金額情報を紙幣の金種に応じて作成し（ステップ３０２）、紙幣を収納部に収納する（ステップ３０３）と共に、搬入金額情報を紙幣管理装置に送信する（ステップ３０４）。
【００５０】
図６は、紙幣管理装置における処理の流れの一例を示すフローチャートである。
【００５１】
まず、搬出金額情報または搬入金額情報を受信する（ステップ４００）と、データベースに記録する（ステップ４０１）と共に、集計を行い（ステップ４０２）、図７に一例を示すように、集計リストを作成する（ステップ４０３）。
【００５２】
そして、島端金庫単位で搬入金額情報と搬出金額情報との比較を行い（ステップ４０４）、差額が基準値以上であると判断する（ステップ４０５でＹＥＳ）と、異常の発生を知らす報知を行い（ステップ４０６）、差額が基準値未満であると判断する（ステップ４０５でＮＯ）と、処理を終了する。
【００５３】
次に、図７に示される集計リストについて説明する。例えば、金庫番号１の島端金庫には、１０２,０００円の紙幣が送り込まれ、この島端金庫に紙幣を送り込む台間玉貸機及び両替機からは、合計１０２,０００円（内訳は、台間玉貸機から５２,０００円、両替機からは、５０,０００円）の貨幣が搬出されている。両者を比較すると、差異が無いので正確に回収されたと判断できる。
【００５４】
一方、金庫番号２の島端金庫に関しては、７,０００円の不足金が発生しており、搬送経路上に詰まっているか、途中で抜き取られた可能性があると判断される。このとき、異常か否かの判断を行う基準値が「５,０００円」と設定されている場合は、金庫番号２の島端金庫について異常が発生したとして報知される。
【００５５】
なお、異常の発生を知らせる報知の方法としては、例えば、島端金庫にパトライトを設置して作動させる方法や、紙幣管理装置において、画面表示や音声表示を行う方法、責任者（店長など）の携帯電話を発呼して異常を知らせる方法など、適切に異常の発生を知らせることが可能な方法を用いる。
【００５６】
また、本実施の形態では、遊技媒体貸出処理機として玉貸機を用いて説明したが、メダル貸機など、他の遊技媒体を貸し出す貸出機でもよい。また、貨幣及びカード媒体を受け入れて、隣接される遊技機に対して貸玉の投出指令を与える台間カード処理機でもよい。なお、高額紙幣を受け入れ可能な玉貸機等が設置される遊技島であっても、遊技客としては、低額紙幣を使おうとする傾向にあり、両替機に対するニーズは高い。
【００５７】
そして、本実施の形態では、紙幣搬送装置に紙幣を搬出した後に、搬出金額情報を紙幣管理装置に送信し、金庫内の収納部に紙幣を収納した後に搬入金額情報を送信しているが、信号を送信するタイミングは、これらの機会に限られず、例えば、遊技媒体の貸し出しを行った際や、両替の貨幣を払い出した際、金庫に紙幣が搬入された際など、任意のタイミングを適宜選択して信号を送信してもよい。
【００５８】
また、遊技媒体貸出処理機が、投入された紙幣を機内に保留する機能が一切無く、投入紙幣を紙幣識別部で識別して正常であれば、すぐに搬送装置へ搬出するタイプであれば、識別情報をそのまま搬出金額情報として、紙幣管理装置に送信してもよい。
【００５９】
このように本発明では、両替機に投入された高額紙幣を機内に収納する必要がないため、両替機自体のサイズを抑えながらも、払い出し用の紙幣を収納するスペースを十分に確保することが可能で、両替用紙幣の補充や高額紙幣の回収といった作業の回数を抑えることができる。
【００６０】
また、両替機がこじ開けらた場合であっても、高額紙幣は機内に収納されていないため、被害額を抑えることができる。
【００６１】
加えて、両替機を含めた現金管理を紙幣管理装置で行うことが可能となる。
【００６２】
さらに、本発明に係る両替機は、遊技媒体貸出機に投入された紙幣を搬送するために設置されている既存の紙幣搬送装置を利用して紙幣の搬送を行うこと可能であり、既存の紙幣搬送装置を利用することにより、専用の紙幣搬送装置を新たに設置する必要がなく、両替機の設置や搬送装置の維持管理にかかるコストの増加を大幅に抑えることができる。
【００６３】
また、両替機に投入された千円紙幣を両替のための払い出し紙幣として機内に収納することが可能なため、両替用紙幣の補充作業の回数をさらに抑えることができる。
【図面の簡単な説明】
【００６４】
【図１】本発明に係る紙幣管理システムの構成の一例を示す概略概念図
【図２】本実施の形態における紙幣管理システムの構成を示す機能ブロック図
【図３】台間玉貸機における処理の流れの一例を示すフローチャート
【図４】両替機における処理の流れの一例を示すフローチャート
【図５】島端金庫における処理の流れの一例を示すフローチャート
【図６】紙幣管理装置における処理の流れの一例を示すフローチャート
【図７】集計リストの一例を示す図
【符号の説明】
【００６５】
１０…台間玉貸機
１１、２１、３１…制御部
１２、２２…紙幣投入部
１３、２３、３３…紙幣識別部
１４…玉投出部
１５、２７…紙幣搬出部
１６、２８…搬出金額情報作成部
１７、２９、３６、４４…通信インターフェイス（Ｉ／Ｆ）
２０…両替機
２４…貨幣払出部
２５…払出用貨幣収納部
２６…払出用貨幣管理部
３０…島端金庫
３２…紙幣搬入部
３４…搬入紙幣収納部
３５…搬入金額情報作成部
４０…紙幣管理装置
４１…演算処理部
４２…プログラム記録部
４３…データベース
４５…表示部
４６…操作部
５０…紙幣
６０…紙幣搬送装置
【図１】
2005192752.tif 000003
【図２】
2005192752.tif 000004
【図３】
2005192752.tif 000005
【図４】
2005192752.tif 000006
【図５】
2005192752.tif 000007
【図６】
2005192752.tif 000008
【図７】
2005192752.tif 000009